(57)【要約】  本発明は、乗客用の少なくとも１つの座席（２８、３０）及び／又はフット・レスト（４０）を備える航空機用の組立部品であって、その航空機用の組立部品が、少なくとも１つの座席の２つの側の一方に沿って延びていて、長手方向のサイズがその少なくとも１つの座席の長手方向のサイズに少なくとも等しく、鉛直方向のサイズすなわち高さがその少なくとも１つの座席の鉛直方向のサイズすなわち高さよりも大きい隔離パネル（３８）も備えているため、前記パネルの裏側に、その少なくとも１つの座席を占める乗客の少なくとも一部が隠れることと、前記隔離パネルが、その少なくとも１つの座席の２つの側の一方に沿って、高さ方向に垂直に、横方向の曲線部と呼ぶ曲線部を有することを特徴とする航空機用の組立部品に関する。
2010500212.tif 000002
【特許請求の範囲】
【請求項１】
乗客用の少なくとも１つの座席（２８、３０）及び／又はフット・レスト（４０）を備える航空機用の組立部品であって、該航空機用の組立部品が、前記少なくとも１つの座席の２つの側の一方に沿って延びており、長手方向のサイズが前記少なくとも１つの座席の長手方向のサイズに少なくとも等しく、鉛直方向のサイズすなわち高さが前記少なくとも１つの座席の鉛直方向のサイズすなわち高さよりも大きい隔離パネル（３８）も備えているため、該隔離パネルの裏側に、前記少なくとも１つの座席を占める乗客の少なくとも一部が隠れることと、前記隔離パネルが、前記少なくとも１つの座席の２つの側の一方に沿って高さ方向に垂直に横方向の曲線部と呼ぶ曲線部を有することを特徴とする航空機用の組立部品。
【請求項２】
前記横方向の曲線部が前記隔離パネルの高さ全体にわたって延びていることを特徴とする、請求項１に記載の航空機用の組立部品。
【請求項３】
前記前記横方向の曲線部が、前記少なくとも１つの座席の方を向いた凹状部を有することを特徴とする、請求項１又は２に記載の航空機用の組立部品。
【請求項４】
前記隔離パネルの全体的な形状が瓦状であることを特徴とする、請求項１から３のいずれか１項に記載の航空機用の組立部品。
【請求項５】
前記隔離パネルが、下部に、航空機の客室の床に固定される土台（５６）を備えることを特徴とする、請求項１から４のいずれか１項に記載の航空機用の組立部品。
【請求項６】
前記隔離パネルが、該隔離パネルの長手方向と鉛直方向とを含む面に投影したとき、上部に凸型の曲線部を有することを特徴とする、請求項１から５のいずれか１項に記載の航空機用の組立部品。
【請求項７】
前記少なくとも１つの座席の後ろに、前記隔離パネルの長手方向の延長線に揃えて配置されたフット・レスト（４０）をさらに備えていて、前記隔離パネルが、その長手方向に沿って、前記フット・レストの２つの側の一方の横にも延びていることを特徴とする、請求項１から６のいずれか１項に記載の航空機用の組立部品。
【請求項８】
前記隔離パネルが、前記少なくとも１つの座席又はフット・レストの後ろ側で、前記長手方向にほぼ垂直な方向にＬ字型壁部を形成していることを特徴とする、請求項１から７のいずれか１項に記載の航空機用の組立部品。
【請求項９】
前記隔離パネルが、前記少なくとも１つの座席の２つの側の一方から、該座席の後ろ側を通って他方の側まで延びていることを特徴とする、請求項１から６のいずれか１項に記載の航空機用の組立部品。
【請求項１０】
互いに平行に配置された２つの乗客用座席を備え、前記隔離パネルが、第１の座席の２つの側の一方から、これら２つの座席の後ろ側を通って第２の座席の２つの側の一方まで延びているため、これら座席の前方に向かって開かれた一種のアルコーブを形成することを特徴とする、請求項１から６のいずれか１項に記載の航空機用の組立部品。
【請求項１１】
客室の床に設置された少なくとも１つの航空機用の組立部品を備える航空機であって、前記少なくとも１つの航空機用の組立部品が請求項１から１０のいずれか１項に合致していることを特徴とする航空機。
【請求項１２】
前記少なくとも１つの航空機用の組立部品が客室の床に固定されることを特徴とする、請求項１１に記載の航空機。
【請求項１３】
前記少なくとも１つの航空機用の組立部品の前記隔離パネルと前記少なくとも１つの座席が、互いに機械部品として独立であることを特徴とする、請求項１１又は１２に記載の航空機。
【請求項１４】
前記隔離パネルが航空機の客室の高さよりも低くされていて、しかもその隔離パネルは、該隔離パネルの裏側に、前記少なくとも１つの座席を占める乗客の身体の少なくとも一部を他の座った乗客から隠すのに十分な高さであることを特徴とする、請求項１１から１３のいずれか１項に記載の航空機。
【請求項１５】
客室の床の上に設けられた複数の前記航空機用の組立部品を備えることを特徴とする、請求項１１から１４のいずれか１項に記載の航空機。
【請求項１６】
前記複数の航空機用の組立部品のそれぞれの乗客用座席が客室の通路に沿って配置されていて、それぞれの隔離パネルが、対応する通路とその各座席の間に位置することを特徴とする、請求項１５に記載の航空機。
【請求項１７】
通路の両側に配置された前記航空機用の組立部品が互いにずらして設置されていることを特徴とする、請求項１６に記載の航空機。
【請求項１８】
前記航空機用の組立部品の前記各隔離パネルが凸型の広い面を持ち、通路の両側に配置された隔離パネルのその凸型の面が通路の方を向いていることを特徴とする、請求項１６又は１７に記載の航空機。
【発明の詳細な説明】
【技術分野】
【０００１】
本発明は、航空機の乗客用の座席又はフット・レストを備える航空機用の組立部品に関する。
【背景技術】
【０００２】
商業飛行の航空機では、特に上級と呼ばれるクラス（ファースト・クラス、「ビジネス」クラスなど）の乗客が、航空機製造会社の側が特に注目する対象となっている。
【０００３】
航空機製造会社は、上級クラスの乗客の快適さを向上させるため、特に、「エコノミー」と呼ばれるクラスの乗客に対するよりも多くのスペースを用意するとともに、一般にますます多くのサービスを提供している。
したがって上級クラスの乗客は、自分の座席をほぼ水平な状態に傾けることができ、時には自分の座席を寝台に変換することさえできる。なぜなら前後に位置する座席は十分に離れているからである。
より多くのスペースを乗客に提供するため、座席は横方向にも互いに離れている。
【０００４】
しかしこれら上級クラスの乗客の居住スペースの整備にあらゆる注意が払われているにもかかわらず、このクラスの乗客同士が、面識のない人であることがしばしばある他の乗客から隔離されて、より親しくなりたい欲求を感じることが時にある。
【発明の概要】
【発明が解決しようとする課題】
【０００５】
彼らは、このような欲求を満たそうとすると、トイレや航空機の他の場所（例えば他の乗客から離れるために特別に設けられた場所）に行かざるをえない。
しかしこのような特別な場所があると、乗客用座席を設置するのに利用できるスペースが少なくなる。
さらに、このような乗客同士は、横になって眠ることを望む場合、ある種の親密な状態になることも求めるが、残念ながら現在の航空機ではそのような目的のためには何も用意されていない。
【課題を解決するための手段】
【０００６】
本発明では、上記の欠点のうちの少なくとも１つをなくすことを目的として、乗客用の少なくとも１つの座席及び／又はフット・レストを備える航空機用の組立部品であって、その航空機用の組立部品が、少なくとも１つの座席の２つの側の一方に沿って延びていて、長手方向のサイズがその少なくとも１つの座席の長手方向のサイズに少なくとも等しく、鉛直方向のサイズすなわち高さがその少なくとも１つの座席の鉛直方向のサイズすなわち高さよりも大きい隔離パネルも備えているため、パネルの裏側に、その少なくとも１つの座席を占める乗客の少なくとも一部が隠れることと、隔離パネルが、その少なくとも１つの座席の２つの側の一方に沿って、高さ方向に垂直に、横方向の曲線部と呼ぶ曲線部を有することを特徴とする航空機用の組立部品を提案する。
【０００７】
乗客同士が親しくすることに結局のところ限度はあるが、このような組立部品により、他の座席から離す場合よりも乗客同士が親しくできるようになる。
隔離パネルは、組立部品の座席を占める乗客を、この組立部品が設置されている航空機の客室の他の座席を占める他の乗客の目から確実に隠すことができる。
【０００８】
したがって本発明の組立部品の中にいる乗客は、視線を避けるのに自分の座席を外す必要がない。
【０００９】
曲がった隔離パネルが乗客用座席に沿ってその座席の前部を超えることなく配置されていると、座席の前に位置するスペースにはみ出すことも、その座席の斜め前方に位置するスペースにはみ出すこともない。
そのため隔離パネルを座席の横に付加しても、その座席に近づくための周囲の空きスペースが制限されることはない。
【００１０】
さらに、パネルはその乗客用座席を他の乗客用座席と物理的に分離しているだけでありながら、１つのモジュールの中にその乗客用座席が閉じ込められることはない。
【００１１】
このようなモジュールは、その乗客を客室の残りの部分から完全に隔離する効果を有するゆえ、まさにそのことによってその乗客に閉塞感を与え、したがって空きスペースが少なくなった印象を与える可能性がある。
本発明のおかげで乗客は閉塞感を持つことがない。
【００１２】
さらに、乗客用座席の周囲にモジュールを設置したとすると、一般に、そのモジュールが設置される航空機の客室全体の中の空きスペースが少なくなるであろう。したがって客室の中を歩き回る乗客は、一般に閉じ込められているという不快な印象を持つであろう。
【００１３】
さらに、客室の換気設備の設計を見直す必要があろう。というのも、モジュールを構成する壁は、従来の設備から出てくる空気流を乱す可能性があるからである。
乗客用座席に隣接して分離パネルを配置するというのは簡単な１つの解決法であり、実現するのに付帯設備を必要とせず、航空機の中にそのための特別な場所を確保する必要もない。
【００１４】
さらに、パネルを付け加えても航空機の負荷が異常に増大することはない。
この点に関し、蜂の巣構造（ハニカム）のような軽い材料を特に用いることができる。
【００１５】
横方向の曲線部は、パネルをより堅固にするのに寄与する。この曲線部は、パネルが航空機の客室の床に設置されたとき、そのパネルに、まっすぐなパネルよりも大きな安定性も与える。
通路に立った状態で他の座った乗客と話をしている乗客がパネルにもたれるとき、とりわけパネルで座席に沿った部分にもたれるとき、これが有用であることがわかる。
【００１６】
本発明による曲がったパネルは、孤立した１つの座席の２つの側の一方に沿って配置すること、又はフット・レストが座席の後ろに位置する座席−フット・レストユニットの２つの側の一方に沿って配置することができる。
【００１７】
１つの特徴によれば、横方向の曲線部は、パネルの高さ全体にわたって延びている。
【００１８】
１つの特徴によれば、曲線部は、少なくとも１つの座席の方を向いた凹状部を有する。
そのためパネルの凸部は組立部品の外側を向く。その結果、客室の中を歩き回っていてパネルの横を通る乗客のほか、カートや荷物の移動が容易になる。
【００１９】
さらに、このような人たちがパネルに接触しても、パネルは滑らかで膨らんだ外面を有するため、怪我をする危険性も少なくなる。
【００２０】
さらに、凹部が座席の方に向いているため、座っている乗客の横に、まっすぐなパネルよりも多くの空きスペースが提供される。
【００２１】
パネルの横方向の曲線部は、パネルの外面の接するベクトルが、座席の前部に位置するパネルの前端と、座席の少なくとも背もたれに位置するパネルの後端との間、あるいはフット・レストが座席の後ろに配置されている場合にはその位置を超えさえするパネルの後端との間を移動するときの幾何学的方向の変化によって定義される。
【００２２】
１つの特徴によれば、パネルが横に配置される座席の少なくとも一方の側も曲がっていて、パネルと座席の曲線部は互いに適合し、例えば一致するか少なくとも似ている。
【００２３】
１つの特徴によれば、隔離パネルの全体的な形状は瓦である。
【００２４】
１つの特徴によれば、隔離パネルは、下部に、航空機の客室の床に固定されることになる土台を備えている。
この土台により、パネルを確実に固定することが容易になるとともに、パネルの堅固さと安定性が増大する。
【００２５】
１つの特徴によれば、隔離パネルは、パネルの長手方向と鉛直方向を含む面に投影したとき、上部に凸型の曲線部を有する。
このような形状により、鋭角になった直線状の上縁部と比べて怪我の危険性を少なくするとともに、座った乗客が横を見渡すことができるようになる。
【００２６】
１つの特徴によれば、航空機用の組立部品は、乗客用座席の後ろに、隔離パネルの長手方向の延長線に揃えて配置されたフット・レストをさらに備えていて、その隔離パネルは、この長手方向に沿って、そのフット・レストの２つの側の一方の横にも延びている。
【００２７】
１つの特徴によれば、隔離パネルは、乗客用座席又はフット・レストの後ろ側で、長手方向にほぼ垂直な方向にＬ字型壁部を形成している。
【００２８】
１つの特徴によれば、隔離パネルは、乗客用座席の２つの側の一方から、その座席の後ろ側を通って他方の側まで延びている。
【００２９】
１つの特徴によれば、航空機用の組立部品は互いに平行に配置された２つの乗客用座席を備えていて、隔離パネルが、第１の座席の２つの側の一方から、これら２つの座席の後ろ側を通って第２の座席の２つの側の一方まで延びているため、これら座席の前方に向かって開かれた一種のアルコーブを形成する。
【００３０】
本発明は、上に簡単に説明した組立部品に合致していて客室の床に設置される少なくとも１つの航空機用の組立部品を備える航空機も目的とする。
【００３１】
１つの特徴によれば、上記の少なくとも１つの航空機用の組立部品は客室の床に固定される。
【００３２】
１つの特徴によれば、上記の少なくとも１つの航空機用の組立部品の隔離パネルと少なくとも１つの座席は、互いに機械部品として独立である。
このようにすると、乗客のために少なくとも１つのパネルを１つ又は複数の座席又はフット・レストに容易に取り付けることができるが、その座席／フット・レストの設計を再検討する必要はない。
【００３３】
乗客用座席の横にパネルを設置するのはこのように容易であり、取り外しも同様である。
組立部品は単一のブロックを構成していないため、その組立部品の要素を１つずつ航空機の中に導入することができる。そのため運搬と設置の作業が容易になる。
【００３４】
１つの特徴によれば、隔離パネルは航空機の客室の高さよりも低くされていて、しかもその隔離パネルは、そのパネルの裏側に、上記の少なくとも１つの座席を占める乗客の身体の少なくとも一部を他の座った乗客から隠すのに十分な高さである。
【００３５】
その一方で、パネルの高さは、客室内の換気のためと、客室空間ができるだけ開かれた状態を維持するために制限されている。そのため閉じ込められた感覚が避けられる。
【００３６】
１つの特徴によれば、航空機は、客室の床の上に設けられた複数の航空機用の組立部品を備えている。
【００３７】
１つの特徴によれば、組立部品のそれぞれの乗客用座席は客室の通路に沿って配置されていて、それぞれの隔離パネルは、対応する通路とその各座席の間に位置する。
【００３８】
１つの特徴によれば、通路の両側に配置された航空機用の組立部品は、互いにずらして設置されている。
このように、通路に沿って組立部品を互いにずらすことで、乗客同士がより親しい行動を取ることができる。
【００３９】
１つの特徴によれば、航空機の組立部品の各隔離パネルは凸型の広い面を持ち、通路の両側に配置された隔離パネルのその凸型の面が通路の方を向いている。
【図面の簡単な説明】
【００４０】
【図１】本発明の組立部品が設置された航空機の客室の全体概略図である。
【図２】図１と同様の客室の全体概略図であり、図１に示した組立部品の一部の設置状態だけを示してある。
【図３】図２に示した組立部品の一部の正面図である。
【図４】組立部品に関して図３に示した部分の側面図である。
【図５】本発明による組立部品の中に収まった乗客を示す全体図である。
【図６】図５を上から見た図である。
【図７】別の組立部品の内部を示す全体図であり、その中で乗客が横になっている。
【図８】２つの組立部品に関し、それぞれの組立部品の一部が航空機の客室の床に固定された状態の全体を示す斜視図である。
【図９】組立部品の図８に示した部分を乗客用の座席又はフット・レストとともに上から見た全体概略図である。
【図１０】図９に示した組立部品を斜めから見た全体概略図である。
【図１１】航空機の客室の中に設けられた本発明による航空機用の組立部品を示す斜視図である。
【発明を実施するための形態】
【００４１】
他の特徴と利点は、添付の図面を参照して行なう例示としての以下の説明に現われるであろう。
【００４２】
図１に航空機の客室の一部を図示し、その全体を参照番号１０で示してある。この客室は、床１２と、側壁（一方の側壁１４だけを窓１６とともに示してある）と、天井（図を見やすくするために省略してある）を備えている。
【００４３】
この図には、いろいろな客室設備が図示されている。それは特に、乗客用の座席又はフット・レストと、１つ又は複数の隔離パネルとを備える本発明の航空機用の組立部品である。
この図には異なる複数のタイプの航空機用の組立部品が示してあるため、本発明をいろいろなやり方で実現できることがわかる。
異なる各タイプの組立部品の全体を、それぞれ参照番号１８、２０、２２、２４、２６で示してある。
【００４４】
この客室には、乗客用のさまざまな座席又はフット・レストが設置されている。それは例えば、客室の側壁１４に沿って配置された座席２８である。客室の中央部には、座席３０がペアにして設けられている。同一のペアの２つの座席３０は、中央の仕切り部３２によって互いに隔てられている。中央の仕切り部３２は、複数のペア式座席の間を長手方向に延びていて、例えば乗客の荷物を収容するのに役立つ。
これらの座席３０はカップルで旅行する乗客に特に利用され、座席２８は、一人旅の人に利用される。
【００４５】
なお、座席２８と座席３０は、長手方向の通路のそれぞれの側に位置している。この客室には、乗客と乗務員が通行するための２本の通路３４と３６が設けられている。
【００４６】
なお、本発明による航空機用設備又は組立部品は、その組立部品の隔離パネルによって生じる見えなくする効果を大きくするため、それぞれの通路の両側に互いにずらして配置されている。
【００４７】
なお、本発明によるそれぞれの航空機用の組立部品は、客室の床１２に取り付けられる。これについては図８と図９を参照してあとで説明する。
【００４８】
本発明によるそれぞれの航空機用の組立部品は、１つの座席又はフット・レスト、それどころか１つの座席とフット・レスト、又は２つの座席を備えるとともに、１つ又は複数の不透明な隔離パネルも備えている。パネルは、そのパネルの背後で対応する座席又はフット・レストを占めている乗客の全体又は一部を見えなくできるサイズにされている。
【００４９】
このような組立部品を占める２人の乗客がより親しい行動を取りやすいようにするこの効果は、パネルの存在と、座席及び／又はフット・レストに対するパネルの位置と、パネルのサイズによって得られる。
【００５０】
図２は、航空機の客室の床１２を示しているが、本発明による航空機用の組立部品の隔離パネル以外のあらゆる装備又は設備が取り除かれている。
したがってこの図には、さまざまなタイプの航空機用の組立部品１８、２０、２２、２４、２６の隔離パネルの設置状態が見られる。
【００５１】
このような表示法により、パネルの存在によって客室の設備が過度の負担になることはなく、客室の通路が塞がれることはないため、乗客と乗務員の移動が妨げられないことがわかる。
【００５２】
さらに、図１から確認できるように、パネルの設置によって乗客用の座席又はフット・レストの周囲の空きスペースが狭くなることはないため、特に、乗客がこれらの座席又はフット・レストにアクセスする妨げにはならない。
【００５３】
図３と図４に、図１と図２に示した航空機用の組立部品１８の２つの隔離パネル３８を示してある。
【００５４】
パネル３８は、図３では、通路に座ったとすれば見えるであろう正面図として示してある。そのためこのパネルの背後に位置する座席及び／又はフット・レストが、見る人の目から隠される。あるいは少なくとも背もたれと、その背もたれのうちで乗客の上半身によって占められる部分が、見る人の目から隠される。
【００５５】
なお、このパネルは、設置された対応する組立部品の横を延びる通路と、この組立部品の一部である乗客用の座席及び／又はフット・レストとの間に配置される。
【００５６】
鉛直状態のパネル３８を示す図３と図４からわかるように、このパネルは、高さ方向に垂直な横方向に曲線部を持つため、ここでは全体的な形状が瓦のようになっている。
【００５７】
パネルの横方向の曲線部は、少なくとも、パネルで座席に沿った部分、すなわち座席の肘掛けがある２つの側の一方に沿った部分に存在している。この曲線部は、パネルの部分のうちで座席の前部に位置する前端から始まり、少なくとも座席の背もたれの位置まで延びている（図１の座席２８に沿ったパネル６８）が、さらに後ろまで延びて例えば座席４０を取り囲むことさえある（図６）。
この曲線部はさらに、パネルの高さの大部分にわたって延びていて、パネルの高さ全体に延びることさえある。
【００５８】
なお、乗客用座席が少なくとも部分的に確実に隠れるサイズであれば、他の膨らんだ形態又は曲がった形態のパネルも採用できる。
【００５９】
したがって曲がったパネルは、裏表に２つの広い面を有する。すなわち内側の凹面３８ａと、それとは反対側の外側の凸面３８ｂである。
【００６０】
このようなパネルが乗客用の座席及び／又はフット・レストに接して設置されると（図１と図６）、内側の凹面３８ａがその座席及び／又はフット・レストの方を向く。そのためそのパネルの凸面がその座席及び／又はフット・レストにいる乗客の方に被さっている場合には、その乗客はさらに隠される。
【００６１】
さらに、図１と図２に示してあるように、隔離パネルの広い凸面３８ｂは、場合に応じて通路３４又は３６の方を向いている。
【００６２】
この構成により、乗客と乗務員が客室を移動しやすくなる。なぜなら乗客と乗務員は、通路を歩き回るとき、膨らんでいて滑らかな凸面としか接触できないため、怪我をする危険性が少なくなるからである。
実際、これらのパネルがないと、通路を歩き回る人は、乗客用座席（特に肘掛け）にぶつかる可能性がある。
【００６３】
さらに、隔離パネル３８は、図３に示したように、鉛直面に投影したときに例えば丸い上縁部３８ｃの形態にされた凸状曲線部を上部に有する。
この曲線部は、鉛直方向の曲線部と呼ぶことができる。
パネルの反対側の下部３８ｄのほうは、まっすぐな縁部の形態にされていて、航空機の客室の床１２に固定されることになる。
【００６４】
図５から図７に、座った乗客と横になった乗客が航空機用の組立部品１８を利用する方法を示してある。
組立部品１８の隔離パネル３８は、乗客用座席２８とフット・レスト４０に接して設けられる。
このフット・レストは、設置された組立部品１８の横を延びる通路３６の長手方向に沿って座席に揃うように配置される。
【００６５】
図５から図７に示してあるように、隔離パネル３８は、乗客用座席２８の２つの側２８ａと２８ｂの一方に沿って長手方向に延びており、それがさらに延長されて、乗客用フット・レスト４０の２つの側４０ａ、４０ｂの一方に沿って延びている。
【００６６】
図６に示してあるように、パネルは、フット・レスト４０の後端４０ｃを少し超えた位置まで延ばすことさえ可能だが、一般に、パネルの長さすなわち長手方向のサイズは、隠す座席及び／又はフット・レストの長さとほぼ等しい。
【００６７】
このようにパネル３８は、乗客用の座席とフット・レストの周囲の空きスペース、その中でも特に各座席と各フット・レストの前に位置する前方空きスペース４２にはみ出さないようにして、座席２８とフット・レスト４０を合わせた部分の２つの側の一方だけ（座席の一方の側２８ａとフット・レストの一方の側４０ａ）を覆っている（図５と図６）。
したがって座っている乗客は、ぶしつけな視線から保護された状態で自由に動くことができる。
【００６８】
さらに、例えば脚を広げたり、自分の座席又はフット・レストを離れたり、自分の座席又はフット・レストに再び着いたりすることを望む場合に自分の動きが妨げられることがない。
【００６９】
実際、隣り合った２つのパネル３８の間に隔壁を設けてこれらのパネルに挟まれたスペースを閉じた状態にすることはないため、座席２８に接するパネル３８は、この座席の前端２８ｃを超えて延びることはない（図６）。
言い換えるならば、隔離パネルは、いずれにせよ、誰の邪魔にもならない場所、特に座った乗客の邪魔にならない場所に位置する。
【００７０】
なお、パネルの曲線部は、座席の側部とフット・レストの側部の曲線部に沿っている（図６）。したがってパネルと座席及びフット・レストとの間に無駄になるスペースがないため、客室内で利用可能なスペースが最適化される。
【００７１】
さらに、パネルと座席及びフット・レストとの間が同様の曲線部、それどころか同じ曲線部になっていることで、組立部品がよりコンパクト、より均一になる。
【００７２】
図５と図７に示してあるように、乗客は、座った状態（図５と、図７の左側）であれ、座席２８がフット・レスト４０の助けを借りて寝台に変換された場合に横になった状態（図７の右側）であれ、パネル３８の背後に身体の一部が隠れる。
【００７３】
なお、フット・レスト４０は、座席２８に座っている乗客と向かい合って座る別の乗客が占めることができるため、パネル３８の存在によって保証されるある種の親しい状態を楽しめる。
【００７４】
すでに指摘したように、パネルの長手方向のサイズは、座席とフット・レストへのアクセスを制限することなく、乗客の動きを邪魔することもない状態でその座席とフット・レストの側部をカバーするのに十分である。パネルはさらに、座席又はフット・レストの十分近くに位置していてしかも十分に薄いため、人や、乗務員が押すカートが行き交う通路の空きスペースが過度に狭くはならない。
【００７５】
さらに、パネル３８は、鉛直方向にも、座席２８又はフット・レスト４０に座っている乗客の少なくとも一部を隠すことのできる高さにわたって延びている。ただし非常に背の高い乗客の頭部の上部は別である。
【００７６】
一般に、パネルの高さは、座席又はフット・レストよりも高くなければならず、その座席又はフット・レストを占める乗客を、客室の他の場所に座っている他の乗客、その中でも特に通路の反対側に座っている乗客から隠すのに十分でなければならない。
【００７７】
パネルの高さは、客室の換気システムから来る空気流を乱さないようにするため、航空機の客室の天井よりも低くなっている必要もある（図１１において、天井４１に対するパネル３８の高さを参照のこと）。
１．３０メートルという高さが、こうした制約を満たすパネルの高さの一例である。しかし高さがこの値に限定されることはない。
【００７８】
さらに、パネルは、座席及び／又はフット・レストとは機械部品として独立である。
【００７９】
このように、パネルは、客室の最初の構成に予定されていない場合でさえ、航空機の客室にあらかじめ設置された座席の横に付加することができる。
【００８０】
しかしパネルを座席及び／又はフット・レストに機械部品を用いて接続するには、その座席及び／又はフット・レストの設計を見直し、その結果として得られた航空機用の組立部品に関して新しい認証Ｇ１６を取得する必要があろう。
【００８１】
図８と図９に、航空機の客室の床１２に隔離パネルが固定された状態、より一般には本発明による航空機用の組立部品が固定された状態を示してある。
【００８２】
図８には、通常は乗客用座席と他の装備を客室の床に固定するための長手方向の２本のレール５０、５２を示してある。
この図では、本発明による航空機用の組立部品の隔離パネル５４の設置を容易にするため、そのパネルをこれまでの図のパネル３８と比べてわずかに変更し、下部に土台５６を付加してある。
土台５６は、パネルの曲がった下側縁部３８ｄから、このパネルの高さ方向に垂直に延びている。
土台５６は、パネルの高さ方向に垂直な面（図９の水平面）に投影したとき、曲がったパネル５４によって区画される凹型スペースを閉じさせている。
土台が存在することで、パネル５４の堅固さと、その鉛直方向の安定性が強化される。
【００８３】
さらに、土台が存在することで、パネルをレール５０に取り付けやすくなる。
実際、このような土台があると、レール５０の内側に固定するのにその土台の厚さを貫通する固定手段（例えばネジ）を用意するだけでよい。
【００８４】
そのような固定手段５８、６０、６２を図８から図１０に示してある。
座席２８とフット・レスト４０のほうは、従来のようにして別のレール５２に固定される。それを図９と図１０に示してある。
【００８５】
図９には、曲がった隔離パネル５４の外面に接するベクトルを参照符号Ｄで示してある。
このベクトルがパネルの外面に沿って移動するときに順番に取る方向は、パネルの前端５４ａから後端５４ｂに延びるこの外面の凸形状を規定する。
このベクトルが、このベクトルを表示してある前端５４ａにおいて取る方向は、航空機の長手方向Ｘ（レールと客室の通路の長手方向）に対してほぼ＋２５°に等しい角度αをなす。
この角度は、座席の曲線部を大きく超える大きすぎる値を取ってはならない。なぜなら、そうなっているとその２つの曲線部（座席とパネル）が互いに違いすぎるからである。
【００８６】
さらに、前端５４ａは、座席の前に戻ってきて乗客の前方スペースを制限してはならない。
角度αの値が＋２５°よりも大きすぎるとこのスペースが閉じてしまう危険性があろう。
接線ベクトルが外側の凸面をパネルの後端５４ｂから前端５４ａまでたどると、角度αは、方向Ｘに対して約−１０°から＋２５°の間で変化する。
【００８７】
なお、上級と呼ばれるクラスで用いられる座席（例えば乗客用座席２８）には、座席の構造を複雑にしていて、特にモーターの助けを借りる必要のあるいくつかの装備が設けられている。
【００８８】
したがってこれらの座席の内部構造は、一般に外装によって保護されるため、内部のメカニズムと電気回路が外部から隠される。
【００８９】
本発明による航空機用の組立部品では、隔離パネルを乗客用座席の横に設けることで、特別な外装なしに座席の内部にあるいくつかの要素を隠すことができる。これは特に有利な点であることがわかる。
【００９０】
図１と図２に示してあるように、本発明による航空機の第２のタイプの組立部品又は装備が、ユニット２０の形態で表わされている。
【００９１】
この組立部品は、乗客用座席２８と、その座席の２つの側の一方の横を長手方向と鉛直方向に沿って延びるパネル６８を備えている。
パネルの長手方向と鉛直方向のサイズは、座席２８に座っている乗客を、客室の他の座席に座っている他の乗客の目から隠すのに十分である。
【００９２】
もちろん、本発明による他の航空機用の組立部品とまったく同様、パネルは座席よりも高いため、乗客のプライバシーを確実に保護し、したがってその乗客の私的な空間が確保される。
【００９３】
しかしこの組立部品は、乗客用座席の後ろに位置するフット・レストを備えていないため、パネル６８は、長手方向のサイズがパネル３８よりも短い。
パネル６８の形状も曲がっているため、このパネルは、上から見ると（高さ方向に垂直な平面に投影すると）半円形の輪郭を有する。
組立部品２０のパネル６８の長手方向のサイズは、例えば隔離パネル３８のサイズの半分に対応する。
【００９４】
図１１に示した変形例によれば、組立部品２１は、座席２８の一方の側に沿って延びた後にこの座席の背後に回ってＬ字型壁部を形成する隔離パネル６９を備えている。この壁部は、通路３４又は３６に沿って延びる長手方向にほぼ垂直である。
この変形例では、パネルは、客室の前方に位置するパネル６８と３８よりも高い。
【００９５】
別のタイプの航空機用の組立部品２４は、フット・レスト４０と、上記の隔離パネルと同じ隔離パネルとを備えている。
【００９６】
図１に示されているように、組立部品２４の２つの隔離パネル６８は、そのパネル６８と接続するためにほぼ丸くなるようにして配置された他の隔壁と組み合わされる。
【００９７】
航空機用の組立部品２２は、乗客用フット・レスト４０と隔離パネル７０を組み合わせた別のタイプの組立部品も備えている。隔離パネル７０は、乗客のフット・レストの一方の側に沿って通路に平行に長手方向に延びた後、フット・レストの後ろ側でこの長手方向とほぼ垂直なＬ字型壁部を形成している。
【００９８】
隔離パネル７０の高さは他の組立部品のパネルと同じだが、異なる組立部品のパネルを互いに異なる高さにすることが可能である。
このようにすると、空調システムから来る空気をよりよく循環させることができるとともに、安全確認のための見通しがきく。
例えばパネル７０は、他のパネルよりも低くすることができる。
【００９９】
なお、パネルのサイズが異なっていると、乗客にとって空間の見え方が変わる可能性がある。例えばパネルの高さを客室の前方から後方に向かって高くなるようにし、広い空間であるという印象を与えることができる。
【０１００】
図１１に示した客室の内部にはこの特徴が示されており、客室の奥に位置するパネル６９と７３は、前景に位置するパネル３８と６８よりも高くなっている。
【０１０１】
図１には、参照番号２６で特定される本発明による別のタイプの航空機用の組立部品を示してある。
この組立部品は、互いに平行に配置されていて、中央の仕切り部３２によって隔てられた２つの乗客用座席３０を含んでいる。
横並びに配置されていながら互いに横方向に離れたこれらの座席を占める乗客は、一般にカップルであり、より一般には、一緒に旅行する人たちである。
【０１０２】
ここでは、航空機用の組立部品２６は、これらの人たちをこの組立部品の外部からのぶしつけな視線から保護する隔離パネルを備えている。
例えばこの組立部品の隔離パネル７２は、第１の座席３０の２つの側の一方（すなわち通路３４に隣接する側）から、第２の座席３０の２つの側の一方（すなわち２つの座席の後ろ側を通る壁部を挟んで通路３６に隣接する側）へと延びている。
【０１０３】
このようなパネルは、座席３０の一部を取り囲むことで、この座席の前方に向かって開いた一種のアルコーブを形成する。
【０１０４】
この構成では、パネル７２の各側部の曲線部は、レールの長手方向に垂直でパネルの外面に接するベクトルがこの外面となす角度がゼロである（座席３０の後ろ側の）面から、パネルの外面に接するベクトルがこの外面と上記の面に対してほぼ１１５°に等しい角度をなす（座席３０の一方の側に沿った）パネルの前端まで延びている。
この角度を超えると、パネルは乗客の前のスペースを閉じてしまうことになろう。
【０１０５】
経済性と最適化のため、組立部品は、パネル６８のタイプの２つの部材をまっすぐな１つのパネルを用いて接続して構成することができる。
【０１０６】
しかし組立部品２６を２つのパネル６８だけで構成し、それぞれを、２つある座席３０の横に取り付けることも考えられる。
【０１０７】
図１１に示した一変形例では、図１と図２の組立部品２６の隔離パネル７２は、座席の背後に位置する部分が座席３０の鉛直方向にはるか上方へと延びてパネル７３を形成している。
【０１０８】
それに対してこれらの座席の両側では、パネル７３はパネル７２の高さを超えない。
【０１０９】
なお、これまで述べてきたことすべてにおいて、本発明によるそれぞれのタイプの航空機用の組立部品に関して１つだけの隔離パネルを問題にしたが、さまざまな理由により、このパネルを複数のパネルで構成しても本発明の原理に変わりはない。
【０１１０】
さらに、本発明による航空機用の組立部品のパネルは一種のついたてを構成し、その裏側に座った乗客の少なくとも一部を隠す。
【図１】
2010500212.tif 000003
【図２】
2010500212.tif 000004
【図３】
2010500212.tif 000005
【図４】
2010500212.tif 000006
【図５】
2010500212.tif 000007
【図６】
2010500212.tif 000008
【図７】
2010500212.tif 000009
【図８】
2010500212.tif 000010
【図９】
2010500212.tif 000011
【図１０】
2010500212.tif 000012
【図１１】
2010500212.tif 000013
【国際調査報告】
2010500212.tif 000014
2010500212.tif 000015
2010500212.tif 000016
2010500212.tif 000017
2010500212.tif 000018
2010500212.tif 000019